(57)【特許請求の範囲】
【請求項１】
複合パッケージにおいて、
殺菌水溶液中に親水性コンタクトレンズを収納する包装容器アレンジメントの少なくとも一つの配列を各々収納する対をなす複数の区画を有する固い収納部、
を含み、
前記一対の区画のうちの一方に含まれるコンタクトレンズは、前記一対の区画のうちの他方に含まれるコンタクトレンズと異なるものであり、
各々の前記包装容器アレンジメントの配列が、
複数の成型されたプラスチックの基板であって、前記基板は各々、前記溶液中に浸されたコンタクトレンズを保持するための凹部、および、前記凹部の周りに延在するフランジを有する、基板、ならびに、
各々の前記基板上に重ね合わされて延展し、前記フランジの表面を剥離可能にシールする寸法を有する柔軟なカバーシート手段であって、前記カバーシート手段が、前記凹部の周りに密封して延展しており、かつ、前記凹部を露出するように前記カバーシートを前記フランジから分離し、前記コンタクトレンズに対する外部からのアクセスを容易にすることを可能にする把持手段を備えた縁部を有する、柔軟なカバーシート手段、
を含み、
前記収納部が、
２つの壁体が互いにヒンジ結合されることにより構成された折り畳み可能なケースであって、
当該折り畳み可能なケースは、前記壁体の内面同士が対向するようにヒンジ線周りに畳んで閉じることができるようになっており、
前記壁体の少なくとも一方の内面側上には、前記包装容器アレンジメントの配列の前記凹部を収容するための対応する複数の凹部が設けられている、
折り畳み可能なケース、
を含む、
複合パッケージ。
【請求項２】
請求項１記載の複合パッケージにおいて、
各々の基板が、広い端部と前記広い端部の反対側の端部に位置する狭い端部との間に延展するフランジを備え、
前記凹部が、前記フランジの広い端部に近接して配置され、前記フランジは、前記凹部の周辺の外に向かって延展し、
前記凹部が、前記基板内の凹状へこみからなり、かつ、中に包含されるようになっている前記コンタクトレンズの形状にほぼ一致する形状を有し、
前記少なくとも一つの配列の前記基板が、前記基板の凹部がそれぞれ隣接して配置された基板の前記狭い端部に隣接して互い違いに配置されるような向きになっている、複合パッケージ。
【請求項３】
請求項２記載の複合パッケージにおいて、
各々の前記フランジが、概ね平面の表面形状を有し、前記重ね合わされたカバーシート手段に接触して面する、複合パッケージ。
【請求項４】
請求項２または３記載の複合パッケージにおいて、
取り外し可能なシールが、前記カバーシート手段と各々の前記フランジの平面との間に形成されて、各々の前記凹部の周縁を密封して囲む、複合パッケージ。
【請求項５】
請求項１ないし４のいずれか１項記載の複合パッケージにおいて、
前記柔軟なカバーシート手段が、前記成型されたプラスチック基板の各々の前記フランンジの表面に接触するプラスチックフィルムからなる外層を有する多層箔ラミネートである、複合パッケージ。
【請求項６】
請求項５記載の複合パッケージにおいて、
前記プラスチックフィルムが、各々の前記成型されたプラスチック基板の前記フランジの表面にヒートシールされて、前記コンタクトレンズが入っている各々の凹部を密封する、複合パッケージ。
【請求項７】
請求項１ないし６のいずれか１項記載の複合パッケージにおいて、
前記成型されたプラスチック基板および前記柔軟なカバーシート手段が、共同で、前記凹部の各々の前記コンタクトレンズのための水分と蒸気不浸透な密封された収納部を形成する、複合パッケージ。
【請求項８】
請求項１ないし７のいずれか１項記載の複合パッケージにおいて、
前記複数の基板が、隣接して配置され、規定数量の前記コンタクトレンズの収納のために、前記柔軟なカバーシート手段によって前記少なくとも一つの配列に分離可能に相互に結合される、複合パッケージ。
【請求項９】
請求項８記載の複合パッケージにおいて、
前記柔軟なカバーシート手段が、前記複数の基板を同一平面内の配列として結合する、複合パッケージ。
【請求項１０】
請求項９記載の複合パッケージにおいて、
弱化ラインが、前記少なくとも一つの配列の前記隣接配置された基板の各々の中間の前記柔軟なカバーシート手段に形成され、前記複数の基板を各々一つの基板からなる個々の包装容器アレンジメントに分離可能とする、複合パッケージ。
【請求項１１】
請求項１０記載の複合パッケージにおいて、
前記複数の基板が、一つのコンタクトレンズを各々収容する個々のブリスターパッケージへと分離可能である、複合パッケージ。
【発明の詳細な説明】
【０００１】
【発明の属する技術分野】
この発明は、殺菌水溶液内の親水性のコンタクトレンズを収納するための複合的あるいは第２の包装容器に関するものである。特に、この発明は、異なった医学的特性や処方を有する複数の使い捨ての親水性コンタクトレンズが、予め特別に注文された方法で、箱状のコンテナ又はカートンに集合的に、且つ、コンパクトに収納された１個以上の特定のパッケージ配列に保持され、所定の期間、できる限り長期間の消費者の両目での使用のために、規定され本質的に数量が測定された異なる複合的あるいは第２の包装容器に関するものである。
【０００２】
親水性のコンタクトレンズを殺菌水溶液中で包装することは、コンタクトレンズの製造業分野で良く知られている。特に、そのような包装容器は、一般的に、いわゆるブリスターパッケージ（半球状のものを有するパッケージ。以後ブリスターパッケージの名称を使用する）から構成されており、ブリスターパッケージは、医師が親水性のコンタクトレンズを保管し、コンタクトレンズを装着したい消費者に分配するために用いられる。一般的に、そのような親水性コンタクトレンズは、１回限りとか短い期間の後で廃棄されるものであって、適当な親水性の重合体材料から製造される。これらの材料は、重合体の組成によって、約２０％から９０％かそれ以上の水分を含んだメタクリル酸ヒドロキシエチルの共重合体等である。一般的に、そのようなコンタクトレンズは、殺菌水溶液に保管（貯蔵）され、通常は、等張の食塩溶液に保管され、脱水を防止し、レンズをいつでも装着できる状態に保持する。
【０００３】
【従来の技術】
従来、コンタクトレンズの製造業者は、個々のコンタクトレンズの保管および出荷用の容器として、親水性コンタクトレンズを浸した殺菌食塩溶液を含むストッパー付きガラス瓶を使用していた。各々のガラス瓶は、適当なシリコンのストッパーによって密封されていて、上蓋形態で、安全密閉具として金属蓋が取り付けられていた。使用するため、患者が瓶からコンタクトレンズを取り出そうとした時、最初に、この金属蓋の安全密閉具をその瓶から引き剥がすことが必要であり、その後、ストッパーを取り除いて、適当なプラスチックのピンセットを使用するか、内容物を流し出すかによってコンタクトレンズを瓶から取り出すことになる。これは、極めて複雑な手続きを行なうことを伴うものである。その理由は、実際上、人間の目には見えない、コンタクトレンズの透明な性質によって、瓶の中の食塩溶液からコンタクトレンズを掴み、取り出すことが困難であったからである。
【０００４】
つい最近、ブリスターパッケージの形態で包装する方法が、親水性コンタクトレンズのために開発された。その方法は、簡単で、安い適当な方法で、親水性コンタクトレンズを保管し、出荷することが可能になり、その一方で、同時に、医師や患者がコンタクトレンズを便利に簡単に取り外すことが容易になった。
【０００５】
等張の食塩溶液などの、殺菌水溶液にレンズを浸す方法による、使い捨て又は一回限り使用する親水性コンタクトレンズのための、殺菌密封した保管環境を作るようにした例えば、ブリスターパッケージが、マーチネッツ（Ｍａｒｔｉｎｅｔｚ）に与えられた米国特許第４，６９１，８２０号に記載されている。この特許は、本発明の共通譲り受け人に譲渡され、この特許の開示内容が、参考として本発明に示されている。
【０００６】
従って、上記マーチネッツの米国特許では、親水性のコンタクトレンズを保管して分配するためのブリスターパッケージは、成形されたくぼみが作られている、射出成形か熱成形を施したプラスチックのベース（基板）部分を有し、この成形されたくぼみは、くぼみの縁の回りに突き出た平らなフランジに周囲を取り囲まれている。柔軟なカバーシートがフランジの表面に張り付けられていて、このくぼみを、一般的な液体密閉手段で漏れが無いように囲んでいる。ベース部分のくぼみの中に、１個の親水性のコンタクトレンズが、等張の食塩溶液などの、殺菌水溶液に浸されている。このくぼみの側壁の一部分が傾斜しており、くぼみの底からフランジに向かって上方に延展する斜面を形成しており、それで、カバーシートをフランジから剥ぎ取り、くぼみと傾斜した側壁を露出し、その後、レンズを、くぼみの傾斜した斜面に沿ってくぼみから上方にスライドさせることによって簡単に手で取り出すことができる。
【０００７】
ブリスターパッケージ構造の転用性に関する改良は、ベース部分のくぼみが、取り出し易くするため、水溶液に浸されたその中のコンタクトレンズをきっちりと支持し、検査プロセスを容易にするような寸法で、本質的に半球形状に構成されることによって達成された。さらに、前述の構造は、第一にその様なブリスターパッケージを個々のコンタクトレンズを分配するための使用を考慮にいれており、その様なブリスターパッケージは、通常、分離されているか、単一のパッケージ（包装）であるか、あるいは特定して相互に結合されたブリスターパッケージであって、レンズの小売りで使用される通常の構造の固い厚紙かダンボールカートンのような、さらに大きい容器内に、大量に収納することができ、複合的あるいは第２の包装容器を形成する。
【０００８】
従って、他の重要な態様は、その様な使い捨ての親水性コンタクトレンズのユーザに、規定の数量のコンタクトレンズを収納しているカートンのような包装容器を提供することができることにあった。使い捨てのコンタクトレンズは、通常、わずか１日装着するだけで、本質的には、通常、２４時間中８時間から１８時間の間だけ装着され、その後、廃棄される。従って、何日間か、何週間かあるいは何か月間かの長短期間分のコンタクトレンズを各々入れた包みやパッケージを提供しようとするともできるが、コンタクトレンズの１度の提供をパッケージすると、ユーザは保管（貯蔵）することができ、一定の期間で、例えば、３０日の期間というように、コンタクトレンズの提供を補充する目安を与えることができる。従って、この発明は、そのような親水性のコンタクトレンズの規定数量のための複合的あるいは第２の包装容器の提供を考慮している。この発明では、これらの包装容器は、ユーザのそれぞれ左右の眼の特定のコンタクトレンズを各々保管する２部構成や対のカートン構造内にコンタクトレンズを包含している１配列以上のブリスターパッケージを箱入れしており、包装容器内に収納された親水性のコンタクトレンズの数量に関して素早く、正確に判断することができる。またそのような各々の包装容器は、親水性コンタクトレンズを完全に保護するコンパクトな性質を示す。
【０００９】
本出願の譲受人に共通に譲渡され、その開示内容が本特許で参考として引用されている、併願中の米国特許出願番号第０８／４１４，５１５号（整理番号ＶＴＮ−１７０，９０１４Ｚ−ＩＩ）には、複数のブリスターパッケージが、各々殺菌水溶液の中に１個の親水性のコンタクトレンズをそれぞれ収納している、できれば好ましくは、半円形のくぼみを有する包装容器が、開示されている。規定の数量のその様なブリスターパッケージは、成形されたプラスチックの基板を有しており、その各々が隣接した配列に配置されたコンタクトレンズを保持しており、その配列は、酸化シリコンバリア材料を共に使用したラミネートされた箔や、プラスチックフィルムや他の適当なカバー材料構造で構成された単一の柔軟なカバーシートで個々に覆われていて、各々の基板に形成されたくぼみに保持された各々のコンタクトレンズのための密封した環境を提供している。弱化ラインが、隣接配置された基板の中間の柔軟なカバーシートに形成されていて、ユーザが必要な時に、１個の親水性コンタクトレンズを保持した個々のブリスターパッケージの配列から取り外すことが可能である。
【００１０】
特に、コンタクトレンズの連続した包装容器の複数のそのような配列は、相互に結合された平面の形態をなしており、一般的に長方形の容器あるいはカートンの中に重ね合わされて配置されるようになっている。各々の連続的に重ね合わされた配列は、逆向きにされ、先に下に敷かれた配列に対して回転して逆に置かれ、それぞれの配列がはさみ込まれ、コンパクトに入れ子重ね状にお互いを支持する。重ね合わされた配列のコンタクトレンズを保持しているくぼみは、下又は上に置かれたブリスターパッケージの１配列に対して逆にされており、相互に逆向きのくぼみは、最小の空間でまにあわせるために、はさみ込んだコンパクトな配置で重ね合わせた配列のくぼみと隣接するように位置する。この結果、各々の配列が単一の柔軟なカバーシートで相互に結合されているブリスターパッケージの複数の平らな配列は、実質的に固い長方形の容器あるいはカートン内部で重ね合わされて接触した関係でコンパクト配置となっており、そのような配列は、規定数量の使い捨ての親水性のコンタクトレンズを包含しており、ユーザに、希望の数量を供給することができる。例えば、５個のブリスターパッケージが６配列重なっている場合は、３０個の親水性のコンタクトレンズであり、本質的に、３０日分のコンタクトレンズの供給となる。勿論、以下、詳細に説明するように、消費者の特別の要求に応じ、６０日あるいは９０日分の供給（３カ月分の供給）や大量等の様々な量についても容易に考えられる。
【００１１】
各々のブリスターパッケージの基板は、成形されたそれぞれレンズ収納くぼみを囲んでいる顕著な実質的に固い平面のフランジを有しており、そのくぼみは、フランジの一端方向にずれている。上記平面フランジは、本明細書中に開示されているように、好ましい実施例によれば、一般に涙滴やくさび形状、実際は、二つの集中する（先細）側壁を有することができ、その側壁の反対側の端部は、凸状の半円形端部壁に広がる。また、いわゆる”かものはし”の形態で平行な関係で伸びる一定間隔の側壁を有することができる。さらに、レンズ収納くぼみから離れたフランジの狭い端部は、下側に曲げられる。レンズ収納くぼみは、以下説明するように、それぞれの平面フランジの広い端部の方へずらして形成されるのが好適である。
【００１２】
さらに、フランジは、その平面範囲内で涙滴状かくさび形状であるように説明されたが、１９９４年６月１０日に出願された併願中の米国特許出願番号第０８／２５７，７９６号に記載されているように、１枚の柔軟なカバーシートによって規定数量の配列に相互にされているブリスターパッケージの基板に対する長方形のフランジや、ブリスターパッケージの所定の配列に互いに隣接してゆったり配置されたフランジの使用を考えることも可能である。
【００１３】
ブリスターパッケージの平面フランジや基板の他の形状も考えることができる。例えば、例としてレンズ収納くぼみの周りに延展しているフランジ部は、円形で、フランジ部から半径方向に伸びるいわゆるスプーンの柄のような部分を有することができる。さらに、例えば、併願中の米国特許出願番号第０８／４１４，５１４号（整理番号ＶＴＮ−１７１，９０１４Ｚ−ＩＩＩ）に図示し説明されているように、基板とフランジの多数の他の形状が示唆される。なおこの特許出願の開示内容が、参考として本発明に示されている。フランジの存在は、重ね合わさっている、つまり下に位置するブリスターパッケージの配列に対する支持をするようになっており、それにより、カートン内部で固いコンパクトな包装容器を編成する。重なり合った配列の親水性コントンタクトレンズを保持するくぼみは、取扱い中に、詰められたカートンに加えられるかもしれないショックや衝撃のような、潜在的に害を与える外部の影響から実質的に保護される。
【００１４】
ブリスターパッケージの各々の成形された基板は、適当な射出成形や熱成形による、例えば、ポリプロピレンのようなポリオレフィン等の熱可塑性シート材料によって構成することができ、一方、柔軟なカバーシートは、ポリプロピレンや他の適当なプラスチックフィルムとアルミニウム箔のラミネートやプラスチック層を有するバリア材料を形成する酸化シリコンで構成することができ、カバーシートには、適当に押し形され、親水性のコンタクトレンズを保持するパッケージのくぼみの周りに延展するフランジにヒートシールされるようになっている。柔軟なカバーシートは、ある構造で作られ、『ラミネートの両面印刷の方法とそれにより得られた製品』のタイトルの併願中の１９９３年８月１３日出願の米国特許出願第０８／１０６，３８６号に開示されているような新規な方法で押し形を施すことができる。この出願特許は、本出願の譲受人に同様に譲渡されていて、その開示内容が本特許において、参考として引用されている。
【００１５】
【発明が解決しようとする課題】
この発明が解決しようとする課題は、殺菌水溶液内に親水性のコンタクトレンズを各々包含しているブリスターパッケージの配列を収納するための新規な複合的な第２包装容器であって、その第２包装（パッケージ）が、異なったコンタクトレンズを供給するための相互に結合されたカートン構造を含む複合包装容器を提供することである。
【００１６】
この発明の別の課題は、一対あるいは多数の隣接配置のカートンの各々が、少なくとも１列のブリスターパッケージを含み、１枚のカバー部によって相互に結合され、所定の形態で個々のコンタクトレンズを分配することができるカートン構造を提供することである。
【００１７】
【課題を解決するための手段】
従って、消費者にその特別な用途と要求に合わせて、多様な量とパッケージを与える多様性のあるコンタクトレンズの包装容器を提供するため、本発明は、殺菌水溶液に浸された親水性コンタクトレンズの収納用の新規な複合的あるいは第２の包装容器を提供することに関する。
【００１８】
具体的な実施例によれば、第２パッケージは、各々親水性コンタクトレンズを包含している相互に結合されたブリスターパッケージの１配列あるいはそれ以上の配列を収納する固いカートン構造を含むことができ、それにより、ブリスターパッケージ配列は、柔軟なカバーシートで相互に結合され、互いにコンパクトな保管配置に反転されるか、重ねられた関係になり、規定数量のそのように重ねられ又は反転された配列が、最大の保護と最終の消費者に対する入手可能性とアクセス性のためにコンパクトな形態でその中に保管（貯蔵）される。
【００１９】
従って、１配列以上のブリスターパッケージを包含しているそのような複合的あるいは第２のパッケージ又はカートンが提供され、そのため特に、複数対のそのようなカートンが隣接関係に配置され且つそのカートンに１枚のオーバーラップかクロージャースリーブが設けられ、例えば、予期されるユーザの左右の眼に対する医学的な処方に従って作られた左右の眼のレンズのようなコンタクトレンズをそれぞれのカートン内に配することができる。
【００２０】
さらに、収縮ラップのプラスチックフィルムによって共に保持されている組包装されるそれぞれ対のカートンからなり、消費者が使用する、例えば、小売りの見地から実用的で経済的な左右両眼のコンタクトレンズ３カ月分の供給のような大量のレンズを包含している多数のカートンの第２パッケージの形成を可能にするような複数対の複合的あるいは第２の包装容器の提供を考慮することも可能である。
【００２１】
また、本発明の他の態様によれば、第２パッケージを形成する各々カートン内に包含された別個の複数配列のブリスターパッケージを有するより、柔軟なカバーシートで相互に結合され且つ多数のブリスターパッケージを包含している連続的な配列ストリップから配列を構成して、連続的な配列が、それぞれのカートン内で正弦波形状のパターンに折畳まれ、それぞれのブリスターパッケージがそれぞれのカートンから外に伸びる配列の端部から切り離される際に、ユーザのニーズに応じてブリスターパッケージを個々に分離して分配することができる。
【００２２】
ブリスターパッケージの連続配列あるいはリボンが、それぞれのカートンの端部壁に形成された分配孔を通して分配されるようになっており、残りのブリスターパッケージ配列が、カートン内で保管される第２パッケージあるいはカートン構造の配設を考慮することも可能である。なお、各カートンは、使い捨てないディスペンサーの性質を有し、例えば、プラスチック容器その他の材料であって、その容器から分離して医師や消費者に売られるリボンや配列を包装するための固いデザインを有する物等のより耐久性のあるハウジング（筐体）から構成することができる。
【００２３】
この発明の他の態様によれば、ユーザの両眼のコンタクトレンズのブリスターパッケージの配列を入れた折畳み可能な旅行ケースの提供を考慮することができる。
【００２４】
コンタクトレンズを配列で詰め込んだコンパクトケースであって、そのケースの蓋の内面に鏡を付け、眼に対しそれぞれのコンタクトレンズを装着したり、外したりする場合、消費者の助けになるようなコンパクトケースを提供することも可能である。
【００２５】
【発明の実施の形態】
この発明により構成されたブリスターパッケージの配列を包装するための複合的あるいは第２のパッケージ構造の好適な実施例を添付図面に基づいて以下詳細に説明する。第２包装容器アレンジメントの斜視図を示す特に図１を説明する。この場合、１対の長方形の下カートン部１０、１２が開示されている。そのカートン部１０、１２は、それぞれ底１４、側面１６および末端壁１８を有し、そして開口上面２０を示している。このカートンは、スリーブ状カバー部材によって共通して封じられるようになっており、そのカバー部材２２は、開口端部を有することができ、望むならば、必要に応じて開けることができる閉められた端部を有することができ、親水性コンタクトレンズを包含しているブリスターパッケージ２４の配列をその中に配置した下カートン部１０、１２を、カバー部材２２の一端から選択的にすべり出させることができ、個々のブリスターパッケージを選択し、分配することができる。カバー部材２２は、固い材料から作るよりむしろ収縮包装のプラスチック材料から構成されることを考慮することも可能である。また、ブリスターパッケージは、別個に、本質的には、各下カートン部１０、１２内で相互に結合されず唯特定の配列やばらの層で存在してもよい。これにより、カートン内の残りのブリスターパッケージからパッケージを選択する必要もなく、１個のブリスターパッケージを分配することができる。
【００２６】
この場合、図示したように、各カートン内のブリスターパッケージの配列は、併願中の米国特許出願第０８／４１４，５１５号（整理番号ＶＴＮ−１７０，９０１４Ｚ−ＩＩ）に開示されものと同様の複数の隣接配置の基板を同一平面に含むことができる。上記基板は、柔軟なカバーシートで相互に結合され、ブリスターパッケージの各基板にコンタクトレンズを保持する凹部であるくぼみを密封する。これにより適当な刻み目をその配列の隣接するブリスターパッケージの隣接する壁部の中間の柔軟なカバーシートに付けることができ、配列から個々のブリスターパッケージを容易に切り離し、ユーザに１個のコンタクトレンズを分配する。
【００２７】
前記に関して、各カートンが、ブリスターパッケージの連続的な正弦波形状に折り畳まれたトリップや長い配列を包含することは、図２に示されているが、前記よりむしろ、各配列は、上記米国特許出願第０８／４１４，５１５号（整理番号ＶＴＮ−１７０，９０１４Ｚ−ＩＩ）に記載された方法で１枚のカバーシートで相互に結合された所定数の同一平面配置の基板からなることができる。
【００２８】
本実施例の場合、各カートン１０、１２は、特定の何日間か何週間かの間の、ユーザのニーズに合わせた規定数量のブリスターパッケージやブリスターパッケージ配列を包含する。各カートンは、特に、片方の眼に対して処方したコンタクトレンズに適用され、それぞれ左眼に処方されたコンタクトレンズは、カートン１０内に保管され、右眼に処方されたコンタクトレンズは、もう一方のカートン１２に保管される。これら二つの相互に結合された容器１０、１２の使用により、予期されるユーザからの特別注文に従ってカートン内容は、特定のユーザの両眼の医学的処方を満たすように、詰め込む前に作られるようになり、それにより二つのタイプや処方のコンタクトレンズが、１対のカートン包装容器アレンジメント、実際は、１枚、あるいは共通のカバー構造や部材２２により封じ込められた二つのカートン１０、１２からなる包装容器アレンジメント内にコンパクトに収納することができる。
【００２９】
また、図４にも示したように、そのような複数対のカートン１０、１２は、上記併願中の米国特許出願第０８／２５７，７９６号に開示しているように、各対が、共通のカバー部材２２で封じられ、開けられる蓋やフラッグ構造を有する各々閉じた構造になっており、適当な収縮包装のプラスチックフィルム３０で覆い、例えば、３カ月分あるいは多量のコンタクトレンズ供給等の大量の製品がユーザの都合やコンタクトレンズをユーザに対して処方したり、分配する医師や検眼士のために１パッケージに封じて出荷することができる。これは出荷が便利になるのみならず、パッケージと出荷のコストを節約し、ユーザに魅力的な完全な容器になる。
【００３０】
図５と図６によれば、１枚あるいは共通の外ケース又は壁構造３８で取り囲まれるか、収縮包装材料で封じられた１対の並列カートン３４、３６が開示されており、それぞれ各カートンの１端には分配用スロットが形成され、図４に示すように、各々適用できるカートン内で正弦波形状に折り畳まれたそのようなパッケージの連続的ストリップや配列から、個々のブリスターパッケージを選択的に分配することができる。この容器（配列）は、左右両方のカートンに用いられ、潜在的なユーザの左右の眼のコンタクトレンズ処方に基づく内容にすることができる。
【００３１】
コンタクトレンズの分配が必要ない場合、個々にまた選択的にブリスターパッケージを分配するための各カートンのスロット（開口）に配されるフラップ４４は、折り畳まれ、適当なラッチ装置により塞がれ、使用しない場合、カートンの中身を保管する。
【００３２】
図７によれば、ヒンジ折り畳み可能な壁体５２、５４からなる旅行ケース５０が開示されている。それらの壁体５２、５４は、ダンボール、加圧厚紙から構成されるか、あるいは、木や金属等の固い材料から構成された耐久性のある容器でよく、その内部にはヒンジ構造が設けられ、上記両壁体は、１枚のカバーシートでそれぞれ相互に結合されるブリスターパッケージの各々の列を収納するための凹部構成を有し、旅行ケースが図示矢印の方向にヒンジ線の周りに畳んで閉められると、背中合わせの関係で配置される。これはそれ程広い場所を取らずに、しかも、ブリスターパッケージ列を十分に保護しながら旅行する際に、ブリスターパッケージ列の安い便利な持ち運び方法を提供する。
【００３３】
同様に、図８には一般的な長方形のコンパクトケース６０が示されている。そのケース６０は、ダンボールや、加圧厚紙、成形されたプラスチック材料、あるいは、木や金属等の耐久性材料でよく、婦人用のメーキャップコンパクトケースと同様の装飾印が表面に付けてある。またその内部の各面は、ブリスターパッケージの配列を収納するための凹部を有し、その各凹部は、ユーザの左右両眼の処方に対するコンタクトレンズを選択的に包含することができる。また旅行ケースでは、一つの壁体や蓋部６４は、ユーザが眼にコンタクトレンズを挿入したり、眼から取り外したりし易くする鏡６６を備えることができる。
【００３４】
２部構成カートンと容器に収納された前述の配列は、それぞれ異なったサイズのカートン構造内に、多種、多量のコンタクトレンズを配することが可能であり、最終ユーザの左右の眼に対するブリスターパッケージの様々な配列に包含されたコンタクトレンズの量と処方に関する仕様書に従って、眼科医、検眼士からあるいは最終ユーザから受けた指示に応じて作り、簡単に出荷することができる。
【００３５】
前述の内容から広い様々な目的に合い、異なった消費者の特定のニーズに合う極端に用途の広い第２のあるいは複合的な容器が得られる。
【００３６】
この発明の好適な実施例と考えられるものについて図示し、記述したが、勿論、この発明の精神を逸脱するこなく、形態又は詳細において様々な改良と改造が容易になし得ることが理解される。従って、この発明は、ここに図示し記述した形態と詳細そのものに限定されることなく、また請求の範囲で記述する開示した発明の全体より下位の概念にも限定されない。
【００３７】
なお本発明の好適な実施態様は、以下の通りである。
（Ａ）殺菌水溶液に親水性コンタクトレンズを収納する包装容器の少なくとも１配列を各々保管するようにされた複数の区画を有する一般に固い収納部を備えた複合パッケージであって、
各々の前記配列が、前記容器内に浸されたコンタクトレンズを保持するためのくぼみを各々有する複数の成形されたプラスチックの基板と、
それぞれ各々の前記基板上で重ね合わされ延展する柔軟なカバーシート手段であって、前記カバーシート手段が、前記くぼみの周りに密封して延展し、前記くぼみを露出するように前記カバーシートを前記フランジから分離し、そして上記コンタクトレンズに対して外部からのアクセスを容易にすることができる把持手段を備えた縁部を有する柔軟なカバーシート手段とを含む複合パッケージ。
（１）実施態様（Ａ）記載の複合パッケージであって、前記固い収納が、少なくとも一つの前記区画を各々有する第１および第２のパッケージ配列収納カートン部を有するカートンと、挿入した状態で前記カートンを取り囲み、且つ、前記カートン部の選択的な取り扱いを可能にし、中に包含された少なくとも一つのパッケージ配列にアクセスできるクロージャー部材を含む複合パッケージ。
（２）上記実施態様（１）記載の複合パッケージであって、前記クロージャー部材が、少なくとも一つの開けることができる端部を有して前記カートン部の選択的な扱いと内部への挿入を容易にするスリーブを含む複合パッケージ。
（３）実施態様（Ａ）記載の複合パッケージであって、各前記カートン部が、上開口の長方形箱構造を含む複合パッケージ。
（４）上記実施態様（３）記載の複合パッケージであって、前記箱構造が、前記共通のクロージャー部材内で背中合わせ配置に配される複合パッケージ。
（５）実施態様（Ａ）記載の複合パッケージであって、前記共通のクロージャー部材が、ダンボールから構成される複合パッケージ。
（６）実施態様（Ａ）記載の複合パッケージであって、前記共通のクロージャー部材が、加圧厚紙から構成される複合パッケージ。
（７）実施態様（Ａ）記載の複合パッケージであって、前記共通のクロージャー部材が、成形されたプラスチック材料から構成される複合パッケージ。
（８）実施態様（Ａ）記載の複合パッケージであって、前記共通のクロージャー部材が、木や金属あるいは他の耐久性材料から構成される複合パッケージ。
（９）実施態様（Ａ）記載の複合パッケージであって、前記共通のクロージャー部材が、収縮包装プラスチックフィルムから構成される複合パッケージ。
（１０）上記実施態様（１）記載の複合パッケージであって、前記少なくとも一つのパッケージ配列が、相互に結合された包装容器の連続的なシヌソイドに折り畳まれたストリップの各カートン部に配される複合パッケージ。
【００３８】
（１１）上記実施態様（１）記載の複合パッケージであって、複数の重ね合わされたパッケージ配列が、前記各カートン部に配される複合パッケージ。
（１２）実施態様（Ａ）記載の複合パッケージであって、複数の間に挟んだ包装容器が、各々前記区画に配列される複合パッケージ。
（１３）実施態様（Ａ）記載の複合パッケージであって、前記固い収納が、第１および第２の前記パッケージ配列収納区画を有する長方形のカートンを含み、各々前記区画が、それぞれ一つの区画から個々の前記包装容器を引き出し、分離するための分配孔を有する複合パッケージ。
（１４）上記実施態様（１３）記載の複合パッケージであって、前記区画が、前記カートン内で背中合わせ配置に配置され、各々前記分配孔が、前記カートンの端部壁に形成され、それぞれ一つの前記区画に通じている複合パッケージ。
（１５）上記実施態様（１４）記載の複合パッケージであって、開けられるフラップ手段が、それぞれの分配孔をカバーして保管中、前記区画内でパッケージ配列を保護する複合パッケージ。
（１６）上記実施態様（１４）記載の複合パッケージであって、それぞれの区画の各々前記配列が、前記分配孔から引き出されるようになっている相互に結合された包装容器の連続的なシヌソイドに折り畳まれたストリップを含み、個々の前記包装容器を選択的に分配する複合パッケージ。
（１７）実施態様（Ａ）記載の複合パッケージであって、手段が、複数の前記収納を相互に結合する複合パッケージ。
（１８）上記実施態様（１１）記載の複合パッケージであって、前記相互に結合する手段が、前記複数の収納を囲む収縮包装フィルムを含む複合パッケージ。
（１９）実施態様（Ａ）記載の複合パッケージであって、前記収納が、ダンボール、加圧厚紙、成形されたプラスチック、木又は金属あるいは他の耐久性か固い材料からなる材料群から選択された材料から形成される複合パッケージ。
（２０）実施態様（Ａ）記載の複合パッケージであって、前記収納が、パッケージ配列収納用凹部を有するヒンジ結合の折り畳み構造を含む複合パッケージ。
【００３９】
（２１）上記実施態様（２０）記載の複合パッケージであって、前記収納が、旅行ケースを含む複合パッケージ。
（２２）上記実施態様（２０）記載の複合パッケージであって、前記収納が、少なくとも鏡の付いた内壁面と少なくとも一つの前記パッケージ配列を収納するための凹部を有するコンパクトを含む複合パッケージ。
（２３）実施態様（Ａ）記載の複合パッケージであって、各々の基板が、広い端部と狭い端部間に延展するフランジをそれぞれの対向端部に有し、前記くぼみが、前記フランジの広い端部に近接して配置され、前記フランジが、前記くぼみの周辺の外部に延展し、前記くぼみが、前記基板内の凹状へこみからなり、且つ中に包含されるようになっているコンタクトレンズの形状と略一致した形状を有し、前記少なくとも一つの配列の前記基板が、基板のくぼみがそれぞれ隣接して配置された基板の狭い端部に隣接して互い違いに配置されるような向きになっている複合パッケージ。
（２４）上記実施態様（２３）記載の複合パッケージであって、前記フランジが、接触して、前記重ね合わされたカバーシートに面する一般に平面形状を有する複合パッケージ。
（２５）上記実施態様（２３）記載の複合パッケージであって、解除可能なシールが、前記カバーシートと、各々前記くぼみの周縁を密封して囲む各々前記フランジの平面との間に形成される複合パッケージ。
（２６）上記実施態様（２５）記載の複合パッケージであって、前記シールが、ヒートシールを含む複合パッケージ。
（２７）実施態様（Ａ）記載の複合パッケージであって、各々前記成形されたプラスチック基板が、熱成形プラスチック材料から構成される複合パッケージ。
（２８）実施態様（Ａ）記載の複合パッケージであって、前記柔軟なカバーシート手段が、前記成形されたプラスチック基板の各々のフランンジ面に接触しているプラスチックフィルムからなる前記ラミネートの外層を有する多層箔ラミネートである複合パッケージ。
（２９）上記実施態様（２８）記載の複合パッケージであって、各々前記成形されたプラスチック基板の前記フランジ面にヒートシールされてコンタクトレンズを保持している各々くぼみを密封する複合パッケージ。
（３０）実施態様（Ａ）記載の複合パッケージであって、前記成形されたプラスチック基板と前記柔軟なカバーシートが、共同で、前記くぼみの各々の前記コンタクトレンズのための水分と蒸気不浸透な密封された収納を形成する複合パッケージ。
【００４０】
（３１）実施態様（Ａ）記載の複合パッケージであって、前記複数の基板が、隣接して配置され、規定数量の前記コンタクトレンズの収納のために、前記柔軟なカバーシート手段によって前記少なくとも一つの配列に引き剥がし可能に相互に結合される複合パッケージ。
（３２）上記実施態様（３１）記載の複合パッケージであって、前記柔軟なカバーシール手段が、同一平面の配列の前記複数の基板を結合する複合パッケージ。
（３３）上記実施態様（３２）記載の複合パッケージであって、弱化ラインが前記少なくとも１配列の前記隣接配置された基板の各々の中間の前記カバーシート手段に形成される複合パッケージ。
（３４）上記実施態様（３３）記載の複合パッケージであって、前記複数の基板が１個のコンタクトレンズを各々保持する個々のブリスターパッケージに分離可能な複合パッケージ。
【００４１】
【発明の効果】
以上のように、この発明によれば、異なった医学的特性や処方を有する複数の使い捨ての親水性コンタクトレンズが、予め特別に注文された方法で、箱状のコンテナ又はカートンに集合的に、且つ、コンパクトに収納された１個以上の特定のパッケージ配列に保持され、所定の期間、できる限り長期間の消費者の両目での使用のために、規定され本質的に数量が測定された異なる複合的あるいは第２の包装容器を提供することができる。
【図面の簡単な説明】
【図１】  各々コンタクトレンズ供給を各々包含している１対のカートンを含み、そのカートンが背中合わせの関係にあり、１枚のクロージャー部材で相互に結合される、本発明に係る第２包装容器の第１実施例の斜視図である。
【図２】  図１のそれぞれ１個のカートンに配置される相互に結合されたブリスターパッケージの隣接するトリップ状の配列の概略斜視図である。
【図３】  カートン構造内の図２のブリスターパッケージの配列の概略的配置を示す図１の３−３線に沿った縦断面図である。
【図４】  収縮包装のプラスチックフィルムによって相互に結合された図１に示された複数対のカートンを示す概略斜視図である。
【図５】  そのようなブリスターパッケージの連続配列から個々のブリスターパッケージをそれぞれ分配する分配孔を有するカートンの形態の１対の相互に結合された第２包装容器の概略斜視図である。
【図６】  図５の６−６線に沿った断面図である。
【図７】  旅行ケースの形状の第２包装容器の斜視図である。
【図８】  ブリスターパッケージの複数配列を収納する鏡付きコンパクトケースを示す斜視図である。
【図１】
0004128237.tif 000002
【図２】
0004128237.tif 000003
【図３】
0004128237.tif 000004
【図４】
0004128237.tif 000005
【図５】
0004128237.tif 000006
【図６】
0004128237.tif 000007
【図７】
0004128237.tif 000008
【図８】
0004128237.tif 000009